(57)【特許請求の範囲】
【請求項１】
内部の薬液を吸上げる吸液芯が設けられた液体容器と、液体容器が下部に挿入セットされると共に、上部に蒸散口を有する蒸散器本体と、蒸散器本体内に固定支持され前記吸液芯を加熱する加熱部と、前記液体容器の挿入セット時に係合し合うと共に、液体容器の容器本体又は蒸散器本体のいずれか一方に設けられた係合凸部と、他方に設けられた係合凹部とを有し、係合凸部と係合凹部には遊びが設けられ、前記蒸散器本体に前記容器本体を挿入して係合を完了させた時に前記液体容器から手を離すと、前記遊びによって、前記容器本体が自重で前記蒸散器本体より一段下降した状態で固定支持されることを特徴とする加熱蒸散器。
【発明の詳細な説明】
【０００１】
【発明の属する技術分野】
この発明は、部屋の消臭や芳香等に適する加熱蒸散器に関する。
【０００２】
【従来の技術】
薬液等の液体を気化・蒸散させることで、例えば、部屋の消臭等を行なう加熱蒸散器にあっては、例えば、特開平８−１４８号公報に記載のものが知られている。
【０００３】
加熱蒸散器の概要は、液体容器が下部にセットされた器体内にヒータ等の発熱体が設けられ、発熱体によって前記液体容器内の薬液を吸上げる吸液芯に熱を与えることで、気化・蒸散を促し、器体の上方に設けられた蒸散口から外部へ拡散する構造となっている。
【０００４】
【発明が解決しようとする課題】
液体容器の薬液は消費されるところから、空になった時点で新しい液体容器と交換するようになる。
【０００５】
液体容器の交換は、螺合し合う液体容器の雄ねじ部を器体の雌ねじ部に対して回転させることで取外せるようになるが、この交換作業時に、器体に対して液体容器を回転させるために、回転スペース等の関係から液体容器の形状はほぼ円筒状に決定されることと、全体形状にあっても円筒状の液体容器の形状に制約される関係から設計自由度がないのが現状であること、また、器体側に雌ネジ部を加工しなくてならず加工性の面でも望ましくないこと。
【０００６】
また、ねじによる液体容器の支持となるため、例えば、ねじ嵌合時に途中でやめてしまった場合には、発熱体に対する吸液芯の正しいセット位置が上下方向にずれてしまう恐れがある等の不具合があった。
【０００７】
そこで、この発明は、液体容器を含む大きな設計自由度が得られるようにすると共に、吸液芯の正しいセット位置が確実に確保されるようにした加熱蒸散器を提供することを目的としている。
【０００８】
【課題を解決するための手段】
前記目的を達成するために、この発明にあっては、内部の薬液を吸上げる吸液芯が設けられた液体容器と、液体容器が下部に挿入セットされると共に、上部に蒸散口を有する蒸散器本体と、蒸散器本体内に固定支持され前記吸液芯を加熱する加熱部と、前記液体容器の挿入セット時に係合し合うと共に、液体容器の容器本体又は蒸散器本体のいずれか一方に設けられた係合凸部と、他方に設けられた係合凹部とを有し、係合凸部と係合凹部には遊びが設けられ、前記蒸散器本体に前記容器本体を挿入して係合を完了させた時に前記液体容器から手を離すと、前記遊びによって、前記容器本体が自重で前記蒸散器本体より一段下降した状態で固定支持される。
【０００９】
これにより、液体容器は、係合凸部と係合凹部との係合を外すことで新しい液体容器との交換が可能になると共に、遊びによって一段下降しているため、手がかけ易く容易に外せるようになる。
【００１０】
また、液体容器は、挿入・離脱によって交換が行なえるため、形状は円筒形にとらわれることがなくなり、設計自由度が増すようになる。
【００１１】
また、係合凸部と係合凹部によって係合完了状態が確実にわかるため、吸液芯の正しいセット位置が確実に確保されるようになる。
【００１２】
【発明の実施の形態】
以下、図１乃至図６の図面を参照しながらこの発明の実施の形態について具体的に説明する。
【００１３】
図１は加熱蒸散器１の正面図を示している。
【００１４】
加熱蒸発器１の蒸散器本体３は、合成樹脂の材質で作られていて、内部には加熱部５が配置される一方、下部には薬液の入った液体容器７が着脱自在に挿入セットされている。蒸散器本体３は締結ねじ９を緩めることで図４に示す突合せ線１１から前後３ａ，３ｂに分割可能となっていて、蒸散器本体３の上面中央部位には蒸散口１３が、下部には、正面からみて左右両側にスリット状の空気取入口１５がそれぞれ設けられている。
【００１５】
これにより、空気取入口１５から取入れられた空気によって上方の蒸散口１３へ向かう確実な上昇流が確保されるようになっている。
【００１６】
蒸散口１３は、丸孔状に形成された上下に貫通する主開放口１７と、主開放口１７の周縁４箇所に主開放口１７より開口面積の小さい副開放口１９とで形成され、開閉制御手段２１によって開口面積の調節が可能となっている。
【００１７】
開口制御手段２１は、蒸散器本体３の外方に突出した手動用の操作レバー２３と、操作レバー２３のスライド移動（図３矢印）によって蒸散口１３の開口面積を拡縮する帯板状の制御ドア２５とで構成されている。
【００１８】
操作レバー２３は、図４に示すように標準位置Ｐ１を中心として上方と下方へスライド操作可能となっていて、上方へ操作することで蒸散口１３の開口面積が順次小さくなり、最上位で開口面積が最小となるよう設定されている。
【００１９】
標準位置Ｐ１から下方へ操作することで、蒸散口１３の開口面積が順次大きくなり、最下位で開口面積が最大となるよう設定されている。
【００２０】
一方、液体容器７は容器本体７ａ内からキャップ取付部７ｂを介して上方へ延長された吸液芯３５を有すると共に、容器本体７ａの正面には、図２に示すように楕円状に形成された凸状の係合凸部３７が設けられている。
【００２１】
係合凸部３７は、容器本体７ａを蒸散器本体３の下部に挿入する時、蒸散器本体３の裾部を強制的に押し拡げていき、楕円状の貫通孔に形成された係合凹部３９と係合可能となっていて、係合完了時に、液体容器７が自重で一段下降する遊びαを有している。
【００２２】
遊びαは、係合凹部３９の径Ｄに対して係合凸部３７の径ｄが若干小さく形成されることで確保されるようになっている。
【００２３】
なお、係合凹部３９は必ずしも貫通孔の形状でなくてもよく、楕円状の窪みであってもよい。この場合には係合凹部３９を液体容器７に、係合凸部３７を蒸散器本体３にそれぞれ設ける手段とすることも可能である。
【００２４】
吸液芯３５は、容器本体７の薬液を吸上げる熱に強い材質で作られていて、液体容器７を蒸散器本体３の下部に挿入セットした時、加熱部５の発熱体４５から若干上方へ突出する長さに設定されている。
【００２５】
加熱部５は、図６に示すように絶縁材によって取囲まれていて、加熱制御部４３と発熱体４５とから成り、取付け部４７はビス４９によって蒸散器本体３内に設けられた支持部材５１に固定支持されている。加熱制御部４３の端子４３ａは、前記支持部材５１に装着され、蒸散器本体３の後側から突出するプラグ３１と電気的に接続していて、プラグ３１をソケット３３に差込むことで電流が流れ、発熱体４５に熱を与えるＰＴＣヒータとなっている。
【００２６】
発熱体４５は吸液芯３５の外周を若干の隙間を有して取囲むリング状に形成されている。
【００２７】
なお、図１において５３は、使用時に点燈するパイロットランプを示している。
【００２８】
このように構成された加熱蒸散器１によれば、プラグ３１をソケット３３に差込むことで、吸液芯３５に熱が与えられ、気化した薬液は蒸散口１３から外へ拡散される。この時、薬液がなくなり、新しい液体容器７と交換するには、プラグ３１をコンセント３３から抜きとり空になった液体容器７に手をかけて、係合凸部３７と係合凹部３９との係合が解除されるように下方へ引張ることで蒸散器本体３から取外せるようになる。この時、液体容器７は一段下降しているため手がかけ易くなると共に、遊びαによって一旦押し上げた後、続いて引張ることで抜け易くなる。
【００２９】
次に、新しい液体容器７を挿入セットするには、図２に示すように蒸散器本体３の下部に、液体容器７の吸液芯３５を先頭にして挿入する。この挿入時、係合凸部３７は係合凹部３９と係合し合う。この係合完了時、液体容器７から手を離すことで係合凸部３７と係合凹部３９との遊びαによって一段下降した状態で固定支持されるようになる。
【００３０】
この時、吸液芯３５は係合凸部３７と係合凹部３９の係合完了によって加熱部５の発熱体４５に対して正しい位置にセットされると共に、液体容器７を回転させることなく着脱が可能となるため、円筒形状にとらわれることがなくなり、設計自由度が増すようになる。
【００３１】
【発明の効果】
以上、説明したようにこの発明の加熱蒸散器によれば、係合凸部と係合凹部の遊びによって液体容器の交換が容易に行なえると共に、円筒形状にとらわれることがなくなり、設計自由度が増すようになる。
【００３２】
また、係合凸部と係合凹部によって係合完了状態が確実にわかるため、吸液芯の正しいセット位置が確実に確保されるようになる。
【図面の簡単な説明】
【図１】この発明にかかる加熱蒸散器の正面図。
【図２】加熱蒸散器の液体容器を蒸散器本体へ挿入する動作図。
【図３】加熱蒸散器の概要切断面図。
【図４】加熱蒸散器の側面図。
【図５】加熱蒸散器の背面図。
【図６】加熱部のみを示した概要斜視図。
【符号の説明】
３  蒸散器本体
５  加熱部
７  液体容器
７ａ  容器本体
１３  蒸散口
３５  吸液芯
３７  係合凸部
３９  係合凹部
α  遊び
【図１】
0004739513.tif 000002
【図２】
0004739513.tif 000003
【図３】
0004739513.tif 000004
【図４】
0004739513.tif 000005
【図５】
0004739513.tif 000006
【図６】
0004739513.tif 000007